(57)【要約】      （修正有）【課題】設置が容易であり、汎用性が高く、しかも外観上も違和感の無い発電機能を有する建築資材及び当該建築資材を備えた自動車を提供する。【解決手段】建築資材は、光透過型有機薄膜太陽電池モジュール１０を光透過型素材２０の表面に備えて構成してある。光透過型素材２０としてはガラスや透明あるいは半透明の樹脂板を利用可能である。光透過型有機薄膜太陽電池モジュール１０はガラス基板１１上に透明な表面電極層１２、光電変換層１３、透明導電膜１４と金属膜１５とから構成される裏面電極層を順に積層して太陽電池セルを形成し、表面電極層１２から光電変換層１３を通って裏面電極層を透過する透光部１６を設け、裏面電極層を透光性の封止材１７で覆って成るものである。なおガラス基板１１自体を、光透過型素材２０として利用しても構わない。【選択図】図１
0003193652.tif 000002
【実用新案登録請求の範囲】
【請求項１】
光透過型有機薄膜太陽電池モジュール（１０）を光透過型素材（２０）の表面に備える建築資材。
【請求項２】
請求項１記載の建築資材を窓ガラスに使用した自動車。
【考案の詳細な説明】
【技術分野】
【０００１】
本考案は発電機能を有する建築資材及び当該建築資材を備えた自動車に関する。
【背景技術】
【０００２】
近年、化石燃料に代わるクリーンエネルギーとして、太陽光エネルギーを電気に変える太陽電池の研究開発が盛んに行われている。太陽電池は、その発電効率を最大限に発揮するように設計され、通常、建物の屋根や屋上等の屋外に架台を介して設置されている。
【０００３】
係る太陽光発電に用いられる太陽電池としては、光電変換層に単結晶シリコン、多結晶シリコン、アモルファスシリコン、化合物半導体などの無機半導体を用いたものが実用化されている。しかし、無機半導体を用いた太陽電池は、火力発電などに比べて製造コストが高い。一般家庭に広く普及するためには、より安価に製造できる太陽電池の開発が望まれる。
【０００４】
かかる要望のもと、低コスト化が可能な太陽電池として、色素増感太陽電池や有機薄膜太陽電池といった有機系太陽電池が検討されている。
【０００５】
これらのうち色素増感太陽電池は、電解液の固体化が課題となっている。
【０００６】
これに対し、低分子電子供与性有機半導体と低分子電子受容性有機半導体とを用いる、又は共役系導電性重合体を用いる有機薄膜太陽電池は、電解液が不要であり、ロールツウロール法などの安価なプロセスで大面積に作製することが可能とされ、製造コストが安く、軽量で低発電コストの次世代太陽電池として期待されている。
【０００７】
特に共役系導電性重合体を用いる高分子型の有機薄膜太陽電池は、蒸着プロセスを使わずウェット塗布によって製造することができ、太陽電池の製造コストをより安くできるものである。  
【０００８】
係る特性を有する有機薄膜太陽電池を用いることで自家発電を可能とした製品として、特許文献１には有機薄膜太陽電池は表面に貼着した日傘が開示されている。また、特許文献２には、有機薄膜太陽電池よりなる複数のセルを、スリットを介して上下に配列して成る縦型ブラインド用スラットが開示されている。
【先行技術文献】
【特許文献】
【０００９】
【特許文献１】登録実用新案公報第３１８７０１８号
【特許文献２】登録実用新案公報第３１８３１８１号
【考案の概要】
【考案が解決しようとする課題】
【００１０】
各種建築物への太陽光発電システム導入はさらに進むものと予想されるが、ビル等の屋上に一般的な結晶シリコン系太陽電池を設置するのは容易ではない。なぜなら、ビルの屋上にはさまざまな設備機器が置かれ、太陽電池の設置場所が限られていたり、従来の太陽電池パネルでは設置に際して耐震診断のやり直しが必要になるケースもあるからである。
【００１１】
また、自動車のボディ、多くの場合は天井に、無機半導体を用いた太陽電池を積載し、電気系統に給電するシステムも存在するが、安全上も外観上も実用性に乏しいものである。
【００１２】
そこで本考案は、設置が容易であり、汎用性が高く、しかも外観上も違和感の無い発電機能を有する建築資材及び当該建築資材を備えた自動車にを提供することを目的とする。
【課題を解決するための手段】
【００１３】
上記の目的を達成する本考案の構成は次の通りである。
【００１４】
（１）  請求項１に記載の建築資材は、光透過型有機薄膜太陽電池モジュールを光透過型素材の表面に備えて構成した。
【００１５】
（２）  請求項２に記載の考案は、請求項１記載の建築資材を自動車の窓ガラスに使用して構成した。
【考案の効果】
【００１６】
上記のように構成される本考案が、如何に作用して課題を解決するかを概説する。
【００１７】
有機薄膜太陽電池は、活性層の厚みが通常数百ｎｍ程度と極めて薄く、また基板としてフィルム等を用いることで可とう性を維持することができるため、様々な状況で容易に設置ができるという特徴を有する。しかも、発電機能に加えて入射光の一部を表面側から裏面側へ透過させる機能を有する太陽電池を使用すれば内部に採光することも可能となる。
【００１８】
本考案においては、係る採光可能な有機薄膜太陽電池モジュールを、光透過型素材の表面に備えて建築資材としてあることから、窓や壁面に容易に使用可能であり、しかも、外観上はガラスや透明あるいは半透明な樹脂と異ならない発電可能な建築資材の提供が可能となるのである。
【００１９】
また、かかる建築資材を自動車の窓ガラスに使用すれば、車内のエアコンや冷蔵庫、音響設備等の電源として利用可能となり、エンジンを停止した状態でも快適な車内環境の提供が可能となるものである。
【図面の簡単な説明】
【００２０】
【図１】本考案に係る建築資材の構成説明断面図。
【考案を実施するための形態】
【００２１】
以下、好ましい考案の一実施形態につき、図面を参照しながら概説する。なお、本考案の実施の形態は、下記の実施形態に何ら限定されることはなく、本考案の技術的範囲に属する限り種々の形態を採りうる。
【００２２】
請求項１に記載の建築資材は、図１に示すように光透過型有機薄膜太陽電池モジュール１０を光透過型素材２０の表面に備えて構成してある。
【００２３】
光透過型素材２０としてはガラスや透明あるいは半透明の樹脂板を利用可能である。
【００２４】
光透過型有機薄膜太陽電池モジュール１０はガラス基板１１上に透明な表面電極層１２、光電変換層１３、透明導電膜１４と金属膜１５とから構成される裏面電極層を順に積層して太陽電池セルを形成し、表面電極層１２から光電変換層１３を通って裏面電極層を透過する透光部１６を設け、裏面電極層を透光性の封止材１７で覆って成るものである。なおガラス基板１１自体を、光透過型素材２０として利用しても構わない。
【００２５】
他に利用可能な有機薄膜太陽電池モジュールとしては、太陽電池素子基板、透明電極、光電変換層、透明電極をこの順に有する有機薄膜太陽電池素子を含むものなどが利用可能である。
【００２６】
更には、フタロシアニンなどを素材とした有機半導体材料を塗布して製造した塗布型有機薄膜太陽電池（Ｏｒｇａｎｉｃ  Ｐｈｏｔｏｖｏｌｔａｉｃｓ）なども利用可能である。
【００２７】
かように構成される建築資材は、建築物の柱、外壁、屋根、モニュメント等建築物一般、屋根瓦として利用可能であり、更には自動車のフロントガラス、バックガラス、サイドガラス等に利用可能である。
【符号の説明】
【００２８】
１０・・光透過型有機薄膜太陽電池モジュール
２０・・光透過型素材
【図１】
0003193652.tif 000003
【手続補正書】
【提出日】平成26年7月30日(2014.7.30)
【手続補正１】
【補正対象書類名】実用新案登録請求の範囲
【補正対象項目名】全文
【補正方法】変更
【補正の内容】
【実用新案登録請求の範囲】
【請求項１】
透光性基板上に透明な表面電極層、光電変換層及び裏面電極層を順に積層して太陽電池セルを形成し、表面電極層から光電変換層を通って裏面電極層を透過する透光部を設け、裏面電極層を透光性の封止材で覆った光透過型有機薄膜太陽電池モジュール（１０）を、ガラスや透明あるいは半透明の樹脂板より成る光透過型素材（２０）の表面に備える建築資材。
【請求項２】
太陽電池素子基板、透明電極、光電変換層、透明電極をこの順に有する有機薄膜太陽電池素子を含む光透過型有機薄膜太陽電池モジュール（１０）を、ガラスや透明あるいは半透明の樹脂板より成る光透過型素材（２０）の表面に備える建築資材。
【請求項３】
フタロシアニンを素材とした有機半導体材料を塗布してなる光透過型有機薄膜太陽電池モジュール（１０）を、ガラスや透明あるいは半透明の樹脂板より成る光透過型素材（２０）の表面に備える建築資材。
【請求項４】
請求項１記載の建築資材を窓ガラスの表面に塗布した自動車。
【手続補正書】
【提出日】平成26年8月4日(2014.8.4)
【手続補正１】
【補正対象書類名】実用新案登録請求の範囲
【補正対象項目名】全文
【補正方法】変更
【補正の内容】
【実用新案登録請求の範囲】
【請求項１】
透光性基板上に透明な表面電極層、光電変換層及び裏面電極層を順に積層して太陽電池セルを形成し、表面電極層から光電変換層を通って裏面電極層を透過する透光部を設け、裏面電極層を透光性の封止材で覆った光透過型有機薄膜太陽電池モジュール（１０）を、ガラスや透明あるいは半透明の樹脂板より成る光透過型素材（２０）の表面に備える建築資材。
【請求項２】
太陽電池素子基板、透明電極、光電変換層、透明電極をこの順に有する有機薄膜太陽電池素子を含む光透過型有機薄膜太陽電池モジュール（１０）を、ガラスや透明あるいは半透明の樹脂板より成る光透過型素材（２０）の表面に備える建築資材。
【請求項３】
フタロシアニンを素材とした有機半導体材料を塗布してなる光透過型有機薄膜太陽電池モジュール（１０）を、ガラスや透明あるいは半透明の樹脂板より成る光透過型素材（２０）の表面に備える建築資材。